(57)【要約】【課題】ユーザーが外出する際に忘れ物がないか否かを適切に確認することが可能な携帯物確認システムを提供すること。【解決手段】人が外出する際に忘れやすい所定の携帯物に関する情報を所定携帯物情報として取得する所定携帯物情報取得手段と、所定携帯物情報取得手段により取得された所定携帯物情報及び予め作成されたユーザー固有の携帯物リストに基づいて携帯物確認リストを作成する携帯物確認リスト作成手段と、を備え、所定のタイミングで、携帯物確認リスト作成手段により作成された携帯物確認リストの少なくとも一部をユーザーに提示することを特徴とする、携帯物確認システム。【選択図】図１
2008003720.tif 000002
【特許請求の範囲】
【請求項１】
人が外出する際に忘れやすい所定の携帯物に関する情報を所定携帯物情報として取得する所定携帯物情報取得手段と、
該所定携帯物情報取得手段により取得された所定携帯物情報、及び予め作成されたユーザー固有の携帯物リストに基づいて、携帯物確認リストを作成する携帯物確認リスト作成手段と、を備え、
所定のタイミングで、前記携帯物確認リスト作成手段により作成された携帯物確認リストの少なくとも一部をユーザーに提示することを特徴とする、携帯物確認システム。
【請求項２】
請求項１に記載の携帯物確認システムであって、
前記所定のタイミングにおいて、前記携帯物確認リストに含まれる携帯物をユーザーが携帯しているか否かを確認する携帯状態確認手段を備える、携帯物確認システム。
【請求項３】
請求項２に記載の携帯物確認システムであって、
前記携帯状態確認手段は、ユーザーが所定の入力動作を行なうことにより、前記携帯物確認リストに含まれる携帯物をユーザーが携帯しているか否かを確認する手段である、携帯物確認システム。
【請求項４】
請求項３に記載の携帯物確認システムであって、
前記携帯状態確認手段は、前記所定のタイミングから所定時間経過するまでの間にユーザーが前記所定の入力動作を行なわなかった携帯物については、ユーザーが携帯していないものとして取り扱うことを特徴とする、携帯物確認システム。
【請求項５】
請求項２ないし４のいずれかに記載の携帯物確認システムであって、
前記携帯状態確認手段が前記携帯物確認リストに含まれる携帯物をユーザーが携帯しているか否かを確認した後に、該携帯状態確認手段によりユーザーが携帯していないと確認された携帯物に関する情報をユーザーに提示することを特徴とする、携帯物確認システム。
【請求項６】
請求項２ないし５のいずれかに記載の携帯物確認システムであって、
前記携帯状態確認手段の確認結果に対して集計処理を行なう集計処理手段を備え、
該集計処理手段の集計処理結果をユーザーに提示することを特徴とする、
携帯物確認システム。
【請求項７】
請求項２ないし６のいずれかに記載の携帯物確認システムであって、
前記携帯状態確認手段の確認結果を記憶する確認結果記憶手段を備え、
前記携帯物確認リスト作成手段は、該確認結果記憶手段に記憶された前記携帯状態確認手段の確認結果に基づいて、前記携帯物確認リストを作成する手段である、
携帯物確認システム。
【請求項８】
請求項１ないし７のいずれかに記載の携帯物確認システムであって、
前記所定のタイミングにおいて提示される携帯物の件数を、ユーザーにより設定可能な提示件数設定手段を備えることを特徴とする、携帯物確認システム。
【請求項９】
請求項１ないし８のいずれかに記載の携帯物確認システムであって、
前記所定携帯物情報取得手段は、通信により前記所定携帯物情報を取得する手段である、携帯物確認システム。
【請求項１０】
互いに通信可能な情報管理センターと複数のユーザー端末とにより実現される、請求項１ないし９のいずれかに記載の携帯物確認システム。
【請求項１１】
請求項１０に記載の携帯物確認システムであって、
前記情報管理センターは、前記所定携帯物情報を作成する所定携帯物情報作成手段を備え、
前記ユーザー固有の携帯物リストは、各ユーザー端末において作成される、
携帯物確認システム。
【請求項１２】
請求項１１に記載の携帯物確認システムであって、
前記所定携帯物情報作成手段は、公表された忘れ物ランキング情報に基づいて前記所定携帯物情報を作成する手段である、携帯物確認システム。
【請求項１３】
請求項２ないし７のいずれかに係る、請求項１０ないし１２のいずれかに記載の携帯物確認システムであって、
前記携帯状態確認手段は、各ユーザー端末に設置され、
前記所定携帯物情報作成手段は、該携帯状態確認手段の確認結果を通信により取得し、該取得した確認結果に基づいて前記所定携帯物情報を作成する手段である、
携帯物確認システム。
【請求項１４】
請求項１０ないし１３のいずれかに記載の携帯物確認システムであって、
前記ユーザー端末は、車両に搭載され、
前記所定のタイミングは、車両システムの起動時である、携帯物確認システム。
【請求項１５】
請求項１０ないし１３のいずれかに記載の携帯物確認システムであって、
前記ユーザー端末は、建物内に設置される、携帯物確認システム。
【発明の詳細な説明】
【技術分野】
【０００１】
本発明は、ユーザーが外出する際に忘れ物がないか否かを確認することができる携帯物確認システムに関する。
【背景技術】
【０００２】
従来、ユーザーが車で外出する際に、ユーザーの持ち物に取り付けられたＩＣタグと車載装置との無線通信を行なって、ユーザーが忘れ物をしていると判断された場合に警報を行なう装置についての発明が開示されている（例えば、特許文献１参照）。この装置では、予め外出目的に応じた持ち物の組み合わせに関するデータベースを構築し、無線通信により検出された持ち物の組み合わせと同一又は類似の組み合わせを有するデータを抽出して外出目的を推定している。そして、無線通信により検出された持ち物の組み合わせが外出目的に応じた持ち物の組み合わせと異なる（足りない）場合に、ユーザーが忘れ物をしているものと判断している。
【特許文献１】特開２００５−１７３９８９号公報
【発明の開示】
【発明が解決しようとする課題】
【０００３】
しかしながら、上記従来の装置は、ユーザー自身の過去の外出時における持ち物との比較のみにより忘れ物が無いかを判断しており、一般的に人が外出する際に忘れやすい持ち物に関する情報等が加味されていない。従って、忘れ物がないかを適切に確認することができない場合が生じる。
【０００４】
本発明はこのような課題を解決するためのものであり、ユーザーが外出する際に、忘れ物がないか否かを適切に確認することが可能な携帯物確認システムを提供することを、主たる目的とする。
【課題を解決するための手段】
【０００５】
上記目的を達成するための本発明の一態様は、人が外出する際に忘れやすい所定の携帯物に関する情報を所定携帯物情報として取得する所定携帯物情報取得手段と、所定携帯物情報取得手段により取得された所定携帯物情報、及び予め作成されたユーザー固有の携帯物リストに基づいて、携帯物確認リストを作成する携帯物確認リスト作成手段と、を備え、所定のタイミングで、携帯物確認リスト作成手段により作成された携帯物確認リストの少なくとも一部をユーザーに提示することを特徴とする、携帯物確認システムである。ここで、「提示」とは、表示と音声出力の双方を含む。
【０００６】
この本発明の一態様によれば、人が外出する際に忘れやすい所定の携帯物に関する情報とユーザー固有の携帯物リストとの双方に基づいて携帯物確認リストが作成され、少なくとも一部がユーザーに提示される。したがって、提示されたユーザーは、忘れ物がないか否かを適切に確認することができる。
【０００７】
また、本発明の一態様は、好ましくは、所定のタイミングにおいて、携帯物確認リストに含まれる携帯物をユーザーが携帯しているか否かを確認する携帯状態確認手段を備える。この携帯状態確認手段は、例えば、ユーザーが所定の入力動作を行なうことにより、携帯物確認リストに含まれる携帯物をユーザーが携帯しているか否かを確認する手段である。ここで、「所定の入力動作」とは、入力スイッチ、入力ボタン、タッチ入力画面、その他の入力インターフェイスに対してユーザーが手や指等で入力操作を行なう動作であってもよいし、音声により入力する動作であってもよい。
【０００８】
携帯状態確認手段を備える場合、携帯状態確認手段は、所定のタイミングから所定時間経過するまでの間にユーザーが所定の入力動作を行なわなかった携帯物については、ユーザーが携帯していないものとして取り扱うことを特徴とするのが好ましい。また、携帯状態確認手段が携帯物確認リストに含まれる携帯物をユーザーが携帯しているか否かを確認した後に、携帯状態確認手段によりユーザーが携帯していないと確認された携帯物に関する情報をユーザーに提示することを特徴とするのが好ましい。また、携帯状態確認手段の確認結果に対して集計処理を行なう集計処理手段を備え、集計処理手段の集計処理結果をユーザーに提示するのが好ましい。さらに、携帯状態確認手段の確認結果を記憶する確認結果記憶手段を備え、携帯物確認リスト作成手段は、確認結果記憶手段に記憶された携帯状態確認手段の確認結果に基づいて、携帯物確認リストを作成する手段であるのが好ましい。
【０００９】
また、本発明の一態様において、所定のタイミングにおいて提示される携帯物の件数をユーザーにより設定可能な提示件数設定手段を備えるのが好ましい。
【００１０】
また、本発明の一態様において、所定携帯物情報取得手段は、例えば、通信により前記所定携帯物情報を取得する手段である。
【００１１】
また、本発明の一態様は、例えば、互いに通信可能な情報管理センターと複数のユーザー端末とにより実現される。この場合、例えば、情報管理センターは、所定携帯物情報を作成する所定携帯物情報作成手段を備え、ユーザー固有の携帯物リストは、各ユーザー端末において作成される。ここで、所定携帯物情報作成手段は、公表された忘れ物ランキング情報に基づいて所定携帯物情報を作成する手段であってもよいし、各ユーザー端末に設置された携帯状態確認手段の確認結果を通信により取得し、取得した確認結果に基づいて所定携帯物情報を作成する手段であってもよい。
【００１２】
また、互いに通信可能な情報管理センターと複数のユーザー端末とにより実現される本発明の一態様において、例えば、ユーザー端末は車両に搭載され、所定のタイミングは車両システムの起動時である。その他にも、ユーザー端末は建物内に設置されるものとしてもよい。
【発明の効果】
【００１３】
本発明によれば、ユーザーが外出する際に忘れ物がないか否かを適切に確認することが可能な携帯物確認システムを提供することができる。
【発明を実施するための最良の形態】
【００１４】
以下、本発明を実施するための最良の形態について、添付図面を参照しながら実施例を挙げて説明する。
【実施例】
【００１５】
以下、図１〜４を用いて、本発明に係る携帯物確認システムの一実施例について説明する。図１は、本発明の一実施例に係る携帯物確認システム１の全体構成の一例を示す図である。本実施例の携帯物確認システム１は、複数の車両に搭載されるユーザー端末１０と、情報管理センター１００とが互いに通信を行なうことにより実現される。
【００１６】
ユーザー端末１０は、入出力装置２０と、ユーザー側通信装置３０と、制御装置４０と、を備える。
【００１７】
入出力装置２０は、例えば、車両のナビゲーションシステムが備える、タッチ入力可能な液晶表示装置や、経路案内を行なうスピーカー、音声入力のためのマイク等が共用される。入出力装置２０は、制御装置４０から入力される指示信号に従って表示や音声出力を行ない、入出力装置２０になされたタッチ入力や音声入力を制御装置４０に出力する。
【００１８】
ユーザー側通信装置３０は、図示しない基地局を介して、センター側通信装置１１０との通信を行なう。ユーザー側通信装置３０とセンター側通信装置１１０との通信態様は、例えば、ユーザー側通信装置３０と当該基地局との間では、携帯電話網やＰＨＳ（Ｐｅｒｓｏｎａｌ  Ｈａｎｄｙ−ｐｈｏｎｅ  Ｓｙｓｔｅｍ）網、無線ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、衛星電話、ビーコン等を利用した無線通信が行なわれ、当該基地局とセンター側通信装置１１０と間では、公衆電話交換網（ＰＳＴＮ）やデジタル通信ネットワーク（ＩＳＤＮ）、光ファイバー等の設備を利用した有線通信が行なわれる。従って、ユーザー側通信装置３０は、上記無線通信を行なうための通信モジュール、アンテナ等から構成される。
【００１９】
制御装置４０は、例えば、ＣＰＵを中心としてプログラムを記憶するＲＯＭ等が図示しないバスを介して相互に接続されたコンピューターユニットであり、ＤＶＤやＲＡＭ、ハードディスク等のメモリ５０、通信ポート、タイマー、カウンター等を備える。また、制御装置４０は、こうしたハードウエアを用いて実現される主要な機能ブロックとして、携帯物確認リスト作成部４２と、携帯状態確認部４４と、を備える。各機能ブロックの具体的機能については後述する。また、制御装置４０には、イグニッションスイッチやエンジンコントロールコンピューター等の車載機器が通信可能に接続される。
【００２０】
情報管理センター１００は、前述した通信態様に適合する有線通信装置であるセンター側通信装置１１０と、センター側通信装置１１０の通信制御及び通信により得られた情報に対する統計処理等を行なう情報処理装置１２０と、種々の情報が格納されるデータベース１３０と、を備える。
【００２１】
ここで、携帯物確認システム１の機能について概説する。携帯物確認システム１は、所定のタイミングで、携帯物確認リスト作成部４２が作成した提示用携帯物確認リストを入出力装置２０によってユーザーに提示する。そして、提示用携帯物確認リストに含まれる各携帯物を所持しているか否かを、入出力装置２０を用いてユーザーに確認させる（以下、「持ち物確認」と称する）。当該確認結果は、情報管理センター１００に送信され、後に用いられることとなる。
【００２２】
以下、提示用携帯物確認リストが作成されるまでの具体的処理について説明する。図２は、提示用携帯物確認リストが作成されるまでの処理の流れを模式的に示す図である。この処理の流れは、ユーザーの外出時に先立って、任意のタイミングで行なわれてよい。
【００２３】
まず、携帯物確認リスト作成部４２は、人が外出する際に忘れやすい携帯物ランキング情報（特許請求の範囲における「所定携帯物情報」の具体的な一例である）を情報管理センター１００から取得する。そして、当該携帯物ランキング情報と、予め入出力装置２０に入力されたユーザー固有の携帯物リストを合成し、仮携帯物確認リストを作成して、メモリ５０に一時記憶する（Ｓ２００）。ユーザー固有の携帯物リストは、例えば、ユーザーが特に忘れ物をしたくないと所望する携帯物のリストであり、ユーザーが任意に設定して入力することができる。これらの合成は、例えば、ユーザー固有の携帯物リストの優先順位が高く、携帯物ランキング情報の優先順位が低くなるように作成される。具体的には、ユーザー固有の携帯物リストが（１）バット、（２）グローブ、からなり、携帯物ランキング情報が（１）傘、（２）財布、（３）携帯電話、（４）ハンカチ、からなる場合、（１）バット、（２）グローブ、（３）傘、（４）財布、（５）携帯電話、（６）ハンカチ、の如くに合成される。
【００２４】
なお、人が外出する際に忘れやすい携帯物ランキング情報は、複数のユーザー端末１０から送信される前述の確認結果に対して情報処理装置１２０が集計処理を行なって作成される。また、これに限らず、何らかの情報提供サイトから、車載インターネット端末や情報管理センター１００が備えるインターネット設備により取得されてもよい。
【００２５】
仮携帯物確認リストを作成すると、これに含まれる各携帯物について過去に忘れ物をした回数を、情報管理センター１００から取得する。そして、仮携帯物確認リストに対して、各携帯物についての過去に忘れ物をした回数に応じて並べ替えを行なうと共に当該回数を付加した携帯物確認リストを作成して、メモリ５０に一時記憶する（Ｓ２１０）。携帯物確認リストは、具体的には、例えば、仮携帯物確認リストに含まれる携帯物のうち携帯電話の忘れ物が過去に３回、グローブの忘れ物が過去に２回、それぞれ記憶されているものとすれば、（１）携帯電話（３回）、（２）グローブ（２回）、（３）バット（０回）、（４）傘（０回）、（５）財布（０回）、（６）ハンカチ（０回）、の如く、忘れ物回数の多い携帯物が上位に来るように作成される。
【００２６】
なお、各ユーザー端末１０から送信される前述の確認結果はユーザー毎にデータベース１３０に記憶されており、過去に忘れ物をした回数は、この履歴を参照することにより取得される。
【００２７】
携帯物確認リストを作成すると、携帯物確認リストに含まれる携帯物の件数を、予め入出力装置２０により設定された提示件数で制限した提示用携帯物確認リストを作成し、メモリ５０に記憶する（Ｓ２２０）。この際に、上記忘れ物をした回数も省略されてよい。具体的には、提示件数が５件に設定されているものとすれば、（１）携帯電話、（２）グローブ、（３）バット、（４）傘、（５）財布の如くに作成される。この提示件数は、ユーザーが自分の性格や行動パターンに応じて任意に設定するものであり、例えば、慎重な人は多い目に提示件数を設定するであろうし、物を余り多く持ち歩かない人は少ない目に設定するであろうと推測される。従って、余り多くの提示件数を設定しないユーザーにとっては不要な確認動作を省略して時間の短縮を図ることができる。
【００２８】
図３は、上記の具体例に即した各データのデータ形式を示す図である。図３（Ａ）は、携帯物ランキング情報を、図３（Ｂ）は、ユーザー固有の携帯物リストを、図３（Ｃ）は、仮携帯物確認リストを、図３（Ｄ）は、携帯物確認リストを、図３（Ｅ）は、提示用携帯物確認リストを、それぞれ表す。
【００２９】
次に、提示用携帯物確認リストをユーザーに提示してから、各形態物を所持しているか否かの確認結果を情報管理センター１００に送信するまでの具体的処理について説明する。以下の処理は、所定のタイミングで（例えば、イグニッションスイッチからイグニッションオン信号が入力された際など）開始される。すなわち、ユーザーが車で外出する際に合わせて行なわれる。
【００３０】
まず、携帯状態確認部４４は、上記の如く作成した提示用携帯物確認リストを表示するように入出力装置２０を制御する。なお、当該動作は、画面表示に限らず、音声出力であっても構わない。図４（Ａ）は、この際に表示される画面のイメージ図である。当該画面には、提示用携帯物確認リストに含まれる各携帯物の横に、対応するチェックボックス２２が設けられており、更に、持ち物確認の終了を指示するための終了ボタン２４が設けられている。
【００３１】
携帯状態確認部４４は、画面表示を開始すると同時に、「持ち物確認を行なって下さい」等の音声出力を行ない、ユーザーに持ち物確認に係る入力動作を促す。ユーザーは、自分が所持している携帯物に対応するチェックボックス２２にタッチ操作し、当該タッチ操作されたチェックボックス２２には確認済表示がなされる。そして、終了ボタン２４がタッチ操作されることにより、今回の持ち物確認が確定する。なお、この際に、画面表示を開始してから所定時間（例えば、数［ｍｉｎ］等）経過したにも拘らず、タッチ操作がなされなかった携帯物については、所持していないものとして取り扱う。これは、忘れ物に気付いたユーザーが家に取りに戻ったような場面を想定し、このような場面ではユーザーが当該携帯物を取りに戻った後にチェックボックス２２にタッチ操作をしたとしても、実質的には忘れ物をしたと判断すべきであり、強制的に所持していないものとして取り扱うことによって、後により正確な集計を可能とすることを意図している。図４（Ｂ）は、持ち物確認が確定した時点において表示されている画面のイメージ図である。
【００３２】
なお、提示用携帯物確認リストを表示する前後において、又は任意のタイミングで、図３（Ｄ）に示す携帯物確認リストを表示してもよい。こうすれば、ユーザーは、自分がいずれの携帯物について忘れ物をし易いかを認識することができる。
【００３３】
持ち物確認が確定すると（終了ボタン２４がタッチ操作されると）、チェックボックス２２にタッチ操作されなかった携帯物、すなわち、ユーザーが所持していないことが確認された携帯物に関する情報をユーザーに提示すると好適である。例えば、図４（Ｂ）で例示した如く「バット」についてのみチェックボックス２２にタッチ操作されなかった場合、「バットを忘れています」等の画面表示や音声出力を行なう。また、この場合、図５で示す如き画面を表示すると共に「ハイライト表示されているものが忘れ物です」等のコメント表示や音声出力を行なってもよい。なお、全ての携帯物についてチェックボックス２２にタッチ操作されていた場合は、「忘れ物はありません」等の画面表示や音声出力を行なってもよい。
【００３４】
このような動作により、例えば、持ち物確認が確定して図４（Ｂ）に示す如き画面表示が消えてしまった後に、折角確認をしたにも拘らず忘れ物が何であったのかが不明となるような事態を抑制することができる。また、所持しているものと忘れ物を同時に同じような態様で表示したままだと、表示画面中のいずれが忘れ物であるかを把握しにくいものであるが（特に、忘れ物が複数存在する場合）、この点を明確にすることもできる。
【００３５】
そして、確認結果を情報管理センター１００に送信する。情報処理装置１２０は、ユーザー毎の確認結果に基づいて、各携帯物について忘れ物をした回数を集計した上でデータベース１３０に記憶する。このデータは、前述の如く、携帯物確認リストを作成する際に用いられる。また、全ユーザーから送信された確認結果に基づいて、人が外出する際に忘れやすい携帯物ランキング情報が作成される。
【００３６】
このように、本実施例の携帯物確認システム１では、全ユーザーからの確認結果に基づいて作成される「忘れやすい携帯物ランキング情報」と、ユーザーが任意に設定入力可能な「ユーザー固有の携帯物リスト」と、の双方に基づいて作成されたリストにより持ち物確認が行なわれる。これにより、単に世間一般に忘れやすい携帯物のみを確認するものや、ユーザーが設定入力した携帯物のみを確認するものに比して、忘れ物がないか否かを適切に確認することができる。
【００３７】
また、ユーザーに提示される携帯物のリストには、各携帯物について過去に忘れ物をした回数が加味される。これにより、「忘れやすい携帯物ランキング情報」、「ユーザー固有の携帯物リスト」、及び、ユーザーが各携帯物について過去に忘れ物をした回数、の全てを考慮して作成されたリストにより持ち物確認が行なわれることとなる。従って、忘れ物がないか否かをより適切に確認することができる。
【００３８】
また、ＩＣタグを用いて持ち物確認を行なうものに比して、安価にシステムを実現することができる。従って、システムの普及を促進することができる。この種のシステムは、一般的に、ある程度のユーザー数が存在する方が適正に機能するものであるため、この点についても好適である。
【００３９】
以上、本発明を実施するための最良の形態について一実施例を用いて説明したが、本発明はこうした一実施例に何等限定されるものではなく、本発明の要旨を逸脱しない範囲内において、前述の一実施例に種々の変形及び置換を加えることができる。
【００４０】
例えば、ユーザー端末１０が車両に搭載されることを例示したが、これに限らず、建物内に設置されてもよい。例えば、ユーザーのＰＣ等に所定のソフトウエアがインストールされて実現されてもよい。この場合、持ち物確認を行なう所定のタイミングは、例えば、１日のうち決まった時間であってもよいし、日毎にユーザーが予め設定してもよい。
【００４１】
また、ユーザー端末により全ての処理を行なうものとしてもよい。この場合、忘れやすい携帯物ランキング情報を前述の如くインターネット経由等で取得し、確認結果の集計や記憶をユーザー端末が備えるＣＰＵや記憶媒体にて行なうものとすればよい。
【００４２】
また、入出力装置２０により持ち物確認を行なうものに限られず、携帯物にＩＣタグが備えられていることを前提にして、通信により持ち物確認を行なうものとしてもよい。この場合、入出力装置２０に対する入力動作は不要となる。
【産業上の利用可能性】
【００４３】
本発明は、少なくともユーザーが持ち物確認を行なう装置に利用できる。ユーザー端末が車両に搭載された場合、搭載される車両の外観、重量、サイズ、走行性能等は問わない。
【図面の簡単な説明】
【００４４】
【図１】本発明の一実施例に係る携帯物確認システム１の全体構成の一例を示す図である。
【図２】提示用携帯物確認リストが作成されるまでの処理の流れを模式的に示す図である。
【図３】各データのデータ形式を示す図である。
【図４】持ち物確認が行なわれる際に入出力装置２０により表示される画面のイメージ図である。
【図５】持ち物確認が確定した後に入出力装置２０により表示される画面のイメージ図である。
【符号の説明】
【００４５】
１  携帯物確認システム
１０  ユーザー端末
２０  入出力装置
２２  チェックボックス
２４  終了ボタン
３０  ユーザー側通信装置
４０  制御装置
４２  携帯物確認リスト作成部
４４  携帯状態確認部
５０  メモリ
１００  情報管理センター
１１０  センター側通信装置
１２０  情報処理装置
１３０  データベース
【図１】
2008003720.tif 000003
【図２】
2008003720.tif 000004
【図３】
2008003720.tif 000005
【図４】
2008003720.tif 000006
【図５】
2008003720.tif 000007